(57)【特許請求の範囲】
【請求項１】
発射された玉を遊技域に案内する玉案内レールおよび玉の遊技域を形成する遊技域区分レールを固定したレール取付け部材の近傍に、工具により遊技基板からレールを解体するための工具との掛合部を、玉がガラスに接触してレール上に形成される線と、玉が遊技基板と接触してレール上に形成される線との間の玉の当接域にかかることなく設けたことを特徴とするレール解体の容易なパチンコ機の遊技盤。
【請求項２】
掛合部が工具の一端を挿入可能な穴であって、前記当接域の上側に設けた穴である請求項１記載のレール解体の容易なパチンコ機の遊技盤。
【請求項３】
掛合部が工具の一端を掛止可能な凸起部である請求項１記載のレール解体の容易なパチンコ機の遊技盤。
【発明の詳細な説明】
【０００１】
【発明の属する技術分野】
本発明は、パチンコ機の解体に当たってレールを簡単に取り外すことのできるパチンコ機の遊技盤に関するものである。
【０００２】
【従来の技術】
パチンコ機の遊技盤には発射された玉を、役物や幾つかの入賞口が設けられ玉が遊動流下する遊技域に案内するための玉案内レール、およびほぼ円形状の玉の遊技域を形成する遊技域区分レールが固定されて設けられている。従来、これらのレールは釘や螺子等のレール取付け部材によって遊技基板上に強固に固定されていて、パチンコ機の廃棄に当たってこれを分別解体するに際して、レールを取り外すことが困難でその取り外し作業は時間と工数を必要とするものであった。しかしながら、近年の地球環境保護および資源の有効再利用の機運の高まりにつれて、パチンコ機のレールにおいてもその取り外しを簡単に行うことのできるパチンコ機の遊技盤が求められている。
【０００３】
【発明が解決しようとする課題】
本発明は上記した従来の問題点を解決し、パチンコ機の解体に当たってレールを簡単に取り外すことのできるパチンコ機の遊技盤を提供するためになされたものである。
【０００４】
【課題を解決するための手段】
上記の課題を解決するためになされた本発明のレール解体の容易なパチンコ機の遊技盤は、発射された玉を遊技域に案内する玉案内レールおよび玉の遊技域を形成する遊技域区分レールを固定したレール取付け部材の近傍に、工具により遊技基板からレールを解体するための工具との掛合部を、玉がガラスに接触してレール上に形成される線と、玉が遊技基板と接触してレール上に形成される線との間の玉の当接域にかかることなく設けたことを特徴とするものである。
なお、掛合部を工具の一端を挿入可能な穴であって、前記当接域の上側に設けた穴とすることができ、また、掛合部を工具の一端を掛止可能な凸起部とすることができる。
【０００５】
本発明のレール解体の容易なパチンコ機の遊技盤は、レール取付け部の近傍に工具により遊技基板からレールを解体するための工具の掛合部を設けたことによりレールの取り外しを簡単に行うことができる。
【０００６】
【発明の実施の形態】
以下に図面を参照しつつ本発明の好ましい実施形態を示す。
図１４はパチンコ機の遊技盤を説明する図であって、玉発射装置１により発射された玉を役物等が設けられて玉が遊動流下する遊技域２に案内する玉案内レール３と、ほぼ円形状の遊技域２を形成する遊技域区分レール４の二種のレールが遊技基板１０上に取付けられている。
図１〜２は本発明の一実施形態を示す図であって、レール５の下部にはレール取付け穴６が設けられ、その穴には特殊形状のレール取付け部材７が挿入されており、これによりレール５は遊技基板１０に固定されている。そして、レール取付け穴６の近傍には解体工具の一端を挿入するための角形の穴８が設けられている。
【０００７】
これらのレール取付け穴６および穴８は、玉がレール５に接触する当接域９にかかって設けられると玉の速度が低下するなどして玉の案内に支障を来すので、当接域９にかからないように設ける必要がある。当接域９は、一端が玉とガラス１６が接触してレール５上に形成される線と、他端が玉と遊技基板１０が接触してレール５上に形成される線との、二本の線の間に形成されるものである。
なお、穴８の形状は多角形であっても円形であっても工具の一端が挿入可能なものであればよく、その形状に何ら制限はない。なお、図２に示すように穴８は当接域９の上側に設けても下側に設けてもよいものである。
【０００８】
図３は穴８をレール５の直下の遊技基板１０に設けたもの、図４はレール５の下部に切り込み１２を設けたもの、図５〜６は工具を掛止するための凸起部１３を設けたものであるが、これら穴８、切り込み１２、凸起部１３の形状も四角形、多角形のもののほかに、半円状、半楕円状のもの等工具の一端が挿入または掛止可能なものであればよく、その形状に何ら制限はないものである。また、遊技基板１０に設けられる穴８は遊技基板１０を貫通したものであっても、一端が塞がれて貫通していないものであってもよい。なお、穴８の上をセルロ−スやポリエステル等の合成樹脂により製造された図柄シートにより覆うと見栄えが良くなって好ましいものとなる。
【０００９】
なお、図２に示したように、レール取付け部材７の大きさも玉が接触して玉の外周円弧と遊技基板１０とレール５によって形成されるコーナー空間１１をはみ出すような大きいものであると玉の案内に支障を来すので、形成されたコーナー空間１１より小さいものであることが必要である。
【００１０】
レール取付け部材７は、図７に示した形状の金属材等からなるものであって、図８に示したように該レール取付け部材７をレール取付け穴６に挿入したあとに半折して釘の如き形状のものとし、図９に示したように専用の打ち込み工具１４を用いて遊技基板１０に打ち込んでレール５を固定することができる。
また、固定すべき箇所のレールの下端をコーナー空間１１をはみ出すことなくＬ字形に折り曲げて、従来どおり釘等を用いて遊技基板１０に打ち込んでレール５を固定することもできる。
【００１１】
パチンコ機の廃却に当たって、レール５を取り外す場合には、図１０〜１３に示すように、Ｌ字形に折り曲がった工具１５の先端を穴８、切り込み１２、凸起部１３に挿入または掛止して梃子の作用によりレール５を上方に動かせることによりレール取付け部材７が引き抜かれて、遊技基板１０から容易にレールを取り外すことができる。
【００１２】
【発明の効果】
以上に説明したように、本発明のレール解体の容易なパチンコ機の遊技盤は、レール取付け部の近傍に工具により遊技基板からレールを解体するための工具の掛合部を設けたことによりレールの取り外しを簡単に行うことができ、パチンコ機の解体作業、各部材の分別回収を容易に行うことのできる利点がある。
【図面の簡単な説明】
【図１】  穴を設けたレールを示す斜視図である。
【図２】  穴を設けたレールの正面図および側面図である。
【図３】  遊技基板に穴を設けたレールを示す斜視図である。
【図４】  切り込みを設けたレールを示す斜視図である。
【図５】  凸起部を設けたレールを示す斜視図である。
【図６】  凸起部を設けたレールを示す斜視図である。
【図７】  レール取付け部材を示す斜視図である。
【図８】  レール取付け部材をレールに装着した状態を示す斜視図である。
【図９】  レールを遊技基板に取り付ける状態を示す側面図である。
【図１０】  穴に工具を挿入してレールを取り外す状態を示す側面図である。
【図１１】  凸起部に工具を挿入してレールを取り外す状態を示す側面図である。
【図１２】  凸起部に工具を挿入してレールを取り外す状態を示す側面図である。
【図１３】  穴に工具を挿入してレールを取り外す状態を示す側面図である。
【図１４】  パチンコ機の遊技盤を説明する正面図である。
【符号の説明】
１  玉発射装置
２  遊技域
３  玉案内レール
４  遊技域区分レール
５  レール
６  レール取付け穴
７  レール取付け部材
８  穴
９  当接域
１０  遊技基板
１１  コーナー空間
１２  切り込み
１３  凸起部
１４  打ち込み工具
１５  工具
１６  ガラス
【図１】
0004446550.tif 000002
【図２】
0004446550.tif 000003
【図３】
0004446550.tif 000004
【図４】
0004446550.tif 000005
【図５】
0004446550.tif 000006
【図６】
0004446550.tif 000007
【図７】
0004446550.tif 000008
【図８】
0004446550.tif 000009
【図９】
0004446550.tif 000010
【図１０】
0004446550.tif 000011
【図１１】
0004446550.tif 000012
【図１２】
0004446550.tif 000013
【図１３】
0004446550.tif 000014
【図１４】
0004446550.tif 000015